(57)【要約】【課題】内部に保持した被収容物から発生する有効気化成分を、速やかに外部に放散するとことができる機能を備えたコンパクトな気化成分放散装置の提供を課題とする。【解決手段】内部に収容された被収容物から発生される有効気化成分を外部へ放散させるために用いられる気化成分放散容器であって、被収容物を収容する容器状の下ケース部１０と、下ケース部１０の上縁開口１０ａに着脱自在に覆着され、下ケース部１０内の気化成分を上方に導くための通気穴２３を天井壁２１に備えると共に外気を取り入れるための取入窓２４を側壁２２に備えた中間ケース部２０と、中間ケース部２０の上に着脱自在に覆着され、且つ下ケース部１０内の気化成分を中間ケース部２０の取入窓２４から取り入れた空気と混合しながら通気穴２３から吸引すると共に吸引した気化成分を更に周囲の放出窓３４から外部へ放出させる回転ファン３３を備えた上ケース部３０とを備えた。【選択図】      図２
0003163004.tif 000002
【実用新案登録請求の範囲】
【請求項１】
内部に収容された被収容物から発生される有効気化成分を外部へ放散させるために用いられる気化成分放散容器であって、前記被収容物を収容する容器状の下ケース部と、該下ケース部の上縁開口に着脱自在に覆着され、前記下ケース部内の気化成分を上方に導くための通気穴を天井壁に備えると共に外気を取り入れるための取入窓を側壁に備えた中間ケース部と、該中間ケース部の上に着脱自在に覆着され、且つ前記下ケース部内の気化成分を前記中間ケース部の取入窓から取り入れた空気と混合しながら前記通気穴から吸引すると共に吸引した気化成分を更に周囲の放出窓から外部へ放出させる回転ファンを備えた上ケース部とを備えたことを特徴とする気化成分放散容器。
【請求項２】
上ケース部は、本体と該本体の上に着脱自在に覆着される蓋とからなり、前記本体には、該本体の天井壁から下方に突出して前記回転ファンを設けると共に本体の側壁に前記放出窓を設け、また前記天井壁の背面側には前記回転ファンの駆動部と電池とを収納配置する収納室を前記蓋で着脱自在に覆うようにして設けていることを特徴とする請求項１に記載の気化成分放散容器。
【考案の詳細な説明】
【技術分野】
【０００１】
本考案は気化成分放散容器に関し、病室、その他の室内等に載置され、内部に収容されたタブレット等の被収容物から発生される有効気化成分を外部に効率よく放散させるために用いられる気化成分放散容器に関する。
【背景技術】
【０００２】
従来、室内等に芳香や消臭、或いは消毒等を目的として、気化成分を放散させる放散容器として、下記のような特許文献が提供、開示されている。
【先行技術文献】
【特許文献】
【０００３】
【特許文献１】特開２００９−２６１８５１号公報
【特許文献２】特開２００８−４３５６３号公報
【特許文献３】実開平５−６２２４９号公報
【特許文献４】実用新案登録第３０１９５７５号公報
【考案の概要】
【考案が解決しようとする課題】
【０００４】
上記特許文献１に開示する香気装置は、香気を間欠的に放散することができる装置である。しかし香料（７ａ、７ｂ）の背後にファン（２）を配置して風を送る構成であり、ファン（２）の前に配置することができる香料の量がどうしても制限されるという問題がある。
また特許文献２の電動式放散装置は、芳香剤（６）等を入れる容器本体（３）に対してファン（２）を備えると共に気体放出孔（５）を開口した蓋体（４）を備え、電動ファンの不作動時における自然放散を抑制することができるものである。しかし、前記気体放出孔（５）が蓋体（４）に設けられるものの、空気取り入れ口等が設けられておらず、容器本体（３）内が負圧になりやすく、容器本体（３）内で発生した気体を効率よく外部に放散することができない。即ち、少量ずつ非効率にしか放散することができない機構になっている。
また特許文献３、４に開示された芳香剤等の徐放性薬剤用容器は、容器本体の開口部に設けた電磁弁が開いたときに合わせてファンを回転させることで、放散量を調整することができるものである。しかしファンによる気化成分の放散は、容器本体の口から容器の外に出てきた気化成分にのみ作用するので、容器本体内の気化成分を効率よく外部に放散することができない。即ち、むしろ徐放乃至遅放に向いたものである。
以上より上記特許文献１〜４に示す従来の装置は、気化成分の放散を効率よく行うのではなく、むしろ長時間に亘って徐々に放散させることを主にした装置である。
【０００５】
そこで本考案は上記従来における問題点を解決し、内部に保持した被収容物から発生する有効気化成分を、速やかに外部に放散するとことができる機能を備えたコンパクトな気化成分放散装置の提供を課題とする。
【課題を解決するための手段】
【０００６】
上記課題を解決する本考案の気化成分放散容器は、内部に収容された被収容物から発生される有効気化成分を外部へ放散させるために用いられる気化成分放散容器であって、前記被収容物を収容する容器状の下ケース部と、該下ケース部の上縁開口に着脱自在に覆着され、前記下ケース部内の気化成分を上方に導くための通気穴を天井壁に備えると共に外気を取り入れるための取入窓を側壁に備えた中間ケース部と、該中間ケース部の上に着脱自在に覆着され、且つ前記下ケース部内の気化成分を前記中間ケース部の取入窓から取り入れた空気と混合しながら前記通気穴から吸引すると共に吸引した気化成分を更に周囲の放出窓から外部へ放出させる回転ファンを備えた上ケース部とを備えたことを第１の特徴としている。
また本考案の気化成分放散容器は、上記第１の特徴に加えて、上ケース部は、本体と該本体の上に着脱自在に覆着される蓋とからなり、前記本体には、該本体の天井壁から下方に突出して前記回転ファンを設けると共に本体の側壁に前記放出窓を設け、また前記天井壁の背面側には前記回転ファンの駆動部と電池とを収納配置する収納室を前記蓋で着脱自在に覆うようにして設けていることを第２の特徴としている。
【考案の効果】
【０００７】
請求項１に記載の気化成分放散容器によれば、容器状の下ケース部に収容された被収容物から発生した気化成分は、上ケース部に備えられた回転ファンによって、中間ケース部の取入窓から取り入れられた空気と混合されながら、通気穴を通って上ケース部内に吸引され、更に回転ファンによって上ケース部の周囲の放出窓から外部へ放出される。
よって従来の背面送風式の場合では、下ケース部が送風の邪魔となって十分な量の放散ができないが、本考案では吸引式であるので、下ケース部内に十分な量の被収容物を入れ、十分な量の気化成分を効率よく送風することができる。
また本考案では吸引式ではあるが、中間ケース部の側壁に設けた取入窓から空気を取り入れるようにしているので、下ケース部側の室内が負圧になるが防止され、吸引作用の低下を招くことなく、速やかな吸引、放散を達成することができる。
また中間ケース部に設けた取入窓から取り入れられる空気によって発生した濃度の高い有効気化成分を、効率よく希薄化しながら外部に放散することができる。
また有効気化成分は上ケース部内を通って、その周囲の放出窓から周囲に放散されるので、放散を全方位に容易に行うことができ、室内全域への放散を速やかに行うことができる。
また本考案では、下ケース部と中間ケース部と上ケース部とを相互に着脱自在として、別体に構成しているので、それぞれを単純な形状に形成しやすく、製造が容易である。勿論、容器状の下ケース部を外すことで、液体等の被収容物でも容易に注ぎ入れることができる。
【０００８】
請求項２に記載の気化成分放散容器によれば、上記請求項１の構成による作用効果に加えて、上ケース部は本体とそれに着脱自在の蓋とに分離できるようにされているので、本体の天井壁の背面側の収納室に配置した駆動部や電池の修理や取り替えを、前記蓋を外すことで容易に行うことができる。勿論、回転ファンは天井壁から下方の上ケース部内に突出させた状態に設けているので、駆動部や電池と完全に分離することが可能となり、駆動部や電池が気化成分による悪影響を受けることがない。また放出窓を本体の側壁に設けているので、天井部の回転ファンによって、下方から吸引されて入ってきた気化成分を前記回転ファンにより速やかに側壁の放出窓から周囲に放出することができる。
【図面の簡単な説明】
【０００９】
【図１】本考案の実施形態に係る気化成分放散容器の全体斜視図である。
【図２】本考案の実施形態に係る気化成分放散容器の分解斜視図である。
【考案を実施するための形態】
【００１０】
以下の図面を参照して、本考案に係る気化成分放散容器を説明し、本考案の理解に供する。しかし、以下の説明は本考案の実用新案登録請求の範囲に記載の考案を限定するものではない。
【００１１】
図１〜図２を参照し、本考案に係る気化成分放散容器は、下ケース部１０と、中間ケース部２０と、上ケース部３０とからなる。
この気化成分放散容器は、例えば病院の病室、その他の室内に載置され、下ケース部１０内に収容された被収容物から発生される有効気化成分を、室内に放散させるために用いられるものである。これによって、例えば室内の消毒や滅菌、消臭を行うことができる。またその他、芳香化を行うことができる。
前記被収容物は、固体や液体、その他である。これらの被収容物は、そこから有効気化成分が発生するものであればよい。
前記有効気化成分としては、除菌性、殺菌性のある気化成分、その他の薬効性のある気化成分、芳香性、消臭性のある気化成分、その他、雰囲気に好ましい状況を与える気化成分を少なくとも範疇とする。
【００１２】
前記下ケース部１０は、図２に示すように容器状に構成されており、内部に固形や液体からなる被収容物を入れることができる。下ケース部１０の上縁開口１０ａを構成する側壁１１の上端の対向する２ヶ所に、嵌合用突片１２、１３が形成されている。この嵌合用突片１２、１３に対して、次に説明する中間ケース部２０が着脱自在に嵌合する。これにより下ケース部１０に中間ケース部２０が覆着される。
下ケース部１０は、例えば樹脂成型品として構成することができる。勿論、樹脂以外の材料で構成することも可能である。
【００１３】
前記中間ケース部２０は、前記したように、下ケース部１０の上縁開口１０ａに着脱自在に覆着されるものである。
中間ケース部２０は、天井壁２１と側壁２２を備え、キャップ状に構成されている。
前記天井壁２１にはその中央付近に貫通した通気穴２３を設けている。通気穴２３の周囲は多少窪んだ状態に構成しているが、天井壁２１は全体として略平坦に構成されている。
前記中間ケース部２０の側壁２２には、その一部を除く略全周に亘って、空気を取り入れるための取入窓２４がスリット状に設けられている。
また中間ケース部２０の前記天井壁２１には、その周縁部の対向する２ヶ所に嵌合用突片２５、２６が形成されている。
なお中間ケース部２０の前記側壁２２には、前記下ケース部１０の嵌合用片１２、１３に対応して、図示しない嵌合受部がそれぞれ構成されている。
【００１４】
前記上ケース部３０は、前記中間ケース部２０の上に着脱自在に覆着されるものである。
上ケース部３０には、天井壁３１と側壁３２とが設けられている。そして前記天井壁３１には、その天井壁３１から下方に突出した状態で、回転ファン３３が設けられている。一方、前記側壁３２には、その一部を除く略全周に亘って、上ケース部３０に吸引した気化成分を周囲から外部に放出するための放出窓３４がスリット状に設けられている。なお前記側壁３２には、前記中間ケース部２０の嵌合用片２５、２６に対応して、図示しない嵌合受部がそれぞれ構成されている。
上ケース部３０の外側面にファンスイッチ３５が設けられている。このファンスイッチ３５をオン、オフすることで、回転ファン３３が回転及び停止される。
上ケース部３０の天井壁３１の背面側、即ち前記回転ファン３３がある側とは反対側には、前記回転ファン３３の図示しない駆動部（モータとその制御部）及び乾電池を収納配置する収納室３６が設けられている。
上ケース部３０は、更に本体３０ａと蓋３０ｂとに分離できるようにしている。即ち、蓋３０ｂを着脱自在に本体３０ａに覆着する構成としている。この場合、本体３０ａに前記天井壁３１、側壁３２、回転ファン３３、放出窓３４、ファンスイッチ３５、及び前記図示しない駆動部や乾電池を配置するようにし、蓋３０ｂは、前記収納室３０を覆う、文文字通りの蓋のみとする。従ってこの蓋３０ｂを取り外すことで、乾電池の取り替え等を容易に行うことができる。
【００１５】
今、図２に示すように、下ケース部１０を分離した状態とし、この下ケース部１０の中に被収容物を入れる。そして下ケース部１０の上に中間ケース部２０を覆着し、更に中間ケース部２０の上に上ケース部３０を覆着することで、図１に示す気化成分放散容器が組み立てられる。
そして前記ファンスイッチ３５をオンすることで、回転ファン３３が回転し、気化成分の放散が開始される。前記下ケース部１０内に収容された被収容物から発生した有効気化成分は、前記回転ファン３３の回転により上方へ吸引され、同じく中間ケース部２０の側壁２２の取入窓２４から内部に吸引された空気と混合されながら、前記通気穴２３を介して上ケース部３０内に入る。通気穴２３を通って下方から上ケース部３０に入った気化成分と空気の混合体は、更に回転ファン３３の回転により側周方向に放射状に方向を転換され、周囲の放出窓３４から外部に放出、放散される。
【００１６】
なお被収容物として、室内の消毒や殺菌に適した二酸化塩素を発生するように調整したタブレットやその他の固体、液体を採用することができる。またこの場合、芳香を発生するものを一緒に加えておいてもよい。
【００１７】
また上記実施形態では、回転ファン３３の電源を乾電池により供給するものを示したが、勿論、商用電源を電源とするものとして構成してもよい。また回転ファン３３をタイマーで駆動するようにしてもよい。
【産業上の利用可能性】
【００１８】
本考案は、気化成分放散容器として、室内やその他の場所に載置することで、被収容物からの有効気化成分を効率よく放散させることができる。よって室内において消毒、消臭、殺菌、芳香等の効果を得ることが容易に可能となり、製品、商品としての産業上利用がある。
【符号の説明】
【００１９】
１０          下ケース部
１０ａ        上縁開口
１１          側壁
１２          嵌合用突片
１３          嵌合用突片
２０          中間ケース部
２１          天井壁
２２          側壁
２３          通気穴
２４          取入窓
２５          嵌合用突片
２６          嵌合用突片
３０          上ケース部
３０ａ        本体
３０ｂ        蓋
３１          天井壁
３２          側壁
３３          回転ファン
３４          放出窓
３５          ファンスイッチ
３６          収納室
【図１】
0003163004.tif 000003
【図２】
0003163004.tif 000004